(57)【要約】【課題】遊技機とカードユニット装置との接続間に取付けた不正基板がカードユニット装置に成りすまし偽の信号制御により不正に遊技球の貸出しを実行した場合、パチンコ遊技機側が偽の信号制御であることを判定可能とし、不正な遊技球の貸出を防止することが可能な遊技機を提供する。【解決手段】球貸ボタンの操作によってカードユニット装置に遊技球の貸出しが要求されたことを記憶する貸出要求記憶手段を遊技機に備え、カードユニット装置が制御する貸出要求信号（ＢＲＱ信号）の変化を遊技機が検知した際、該変化の基となる貸出ボタンの操作を示す内容が貸出要求記憶手段に記憶されているか否かを判定し、否定判定ならば異常状態の発生とみなし遊技球の貸出処理を中止する。【選択図】図５
2011177497.tif 000002
【特許請求の範囲】
【請求項１】
有価情報が記憶されたプリペイドカードを挿入可能なカードユニット装置が接続され、
該カードユニット装置に貸し球の貸出要求を行なう際に操作する貸出ボタンと、
貸し球の払出しに応じて変化する前記有価情報を表示する精算表示装置と、
前記カードユニット装置に挿入したプリペイドカードを排出する際に操作する精算ボタンと、
を備えた弾球遊技機において、
前記貸出ボタンの操作により前記貸出要求が行われたことを記憶する貸出要求記憶手段と、
該貸出要求記憶手段が記憶した記憶内容と前記貸出ボタンの操作に起因して前記カードユニット装置が変化させる信号の状態とに応じて異常か否かを判定する貸出要求異常判定手段と、
を備え、
該貸出要求異常判定手段が異常と判定すると貸し球の払出しを実施しないようにした
ことを特徴とする弾球遊技機。
【発明の詳細な説明】
【技術分野】
【０００１】
本発明は、プリペイドカードを媒体とするカードユニット装置を備えた所謂ＣＲ機等の、弾球遊技機に関するものである。
【背景技術】
【０００２】
従来のＣＲ機となるパチンコ遊技機は、パチンコ遊技機本体と接続されたカードユニット装置に、有価情報が記憶されたプリペイドカードを挿入し、パチンコ遊技機に設けられた貸出ボタンを操作することに起因して行われるパチンコ遊技機とカードユニット装置との交信により、遊技球が貸球としてパチンコ遊技機から払出される構成になっている。カードユニット装置は、貸球として払い出した遊技球の数に応じてプリペイドカードに記憶されている有価情報を更新し、更新した有価情報をパチンコ遊技機に設けた精算表示装置に表示する。また、パチンコ遊技機に設けた精算ボタンを操作すると、カードユニット装置に挿入されているプリペイドカードが排出される構成となっている＜特許文献１＞。
【先行技術文献】
【特許文献】
【０００３】
【特許文献１】特開平５−１５４２４９号公報
【発明の概要】
【発明が解決しようとする課題】
【０００４】
従来のＣＲ遊技機の構成では、特許文献１に記載されているように、パチンコ遊技機とカードユニット装置間において送受信する信号の変化タイミングを確認し、お互いの状態を監視する構成となっている。しかし、お互いに監視しているにも係らず、パチンコ遊技機とカードユニット装置との接続間に不正基板を取付けることによって、不正な貸出しを行う事例が頻繁に発生している。これは、カードユニット装置に成りすました不正基板とパチンコ遊技機とを交信させて遊技球の貸し出しを行う不正行為である。
【０００５】
現状では、例えばパチンコ遊技機に配置された貸出ボタンの操作に起因してカードユニット制御装置が制御する信号（ＢＲＤＹ信号）の変化時から所定時間内に、カードユニット制御装置が制御する貸出し要求信号（ＢＲＱ信号）の変化をパチンコ遊技機が確認できない場合、パチンコ遊技機はカードユニット装置の異常と判断するが、特許文献１に記載されているように、貸出ボタン（精算ボタン）はパチンコ遊技機に配置されているが、貸出ボタン（精算ボタン）を操作した信号は、パチンコ遊技機に設けた制御装置を介さずにカードユニット装置に入力される。
【０００６】
従って、パチンコ遊技機はカードユニット装置から受信するＢＲＤＹ信号及びＢＲＱ信号の変化のみを監視して異常か否かを判断する構成となるため、パチンコ遊技機とカードユニット装置の間に不正基板を取り付けられ偽のＢＲＤＹ信号とＢＲＱ信号を送信されても、その偽の信号が条件を満たしていればパチンコ遊技機は正常と判断して貸し球を払出してしまうという問題が有る。
【０００７】
本願発明は上記の問題に鑑み、カードユニット装置側から条件を満たした偽の遊技球貸出しに係る信号を受信した場合でも異常と判断することが可能な遊技機を提供することを目的とする。
【課題を解決するための手段】
【０００８】
請求項１記載の弾球遊技機は、
有価情報が記憶されたプリペイドカードを挿入可能なカードユニット装置が接続され、
該カードユニット装置に貸し球の貸出要求を行なう際に操作する貸出ボタンと、
貸し球の払出しに応じて変化する前記有価情報を表示する精算表示装置と、
前記カードユニット装置に挿入したプリペイドカードを排出する際に操作する精算ボタンと、
を備えた弾球遊技機において、
前記貸出ボタンの操作により前記貸出要求が行われたことを記憶する貸出要求記憶手段と、
該貸出要求記憶手段が記憶した記憶内容と前記貸出ボタンの操作に起因して前記カードユニット装置が変化させる信号の状態とに応じて異常か否かを判定する貸出要求異常判定手段と、
を備え、
該貸出要求異常判定手段が異常と判定すると貸し球の払出しを実施しないようにした
ことを特徴とする弾球遊技機である。
【０００９】
貸出要求記憶手段は、貸出ボタンの操作に応じた信号が出力されたことを記憶する構成であってもよいし、貸出ボタンの物理的な押下動作を記憶する構成であってもよい。
【００１０】
貸出ボタンの操作に応じて貸出要求記憶手段に記憶される貸出要求の記憶は、該貸出要求に応じてカードユニット装置が制御する払出要求を示す信号が変化したことに起因して消去する構成としてもよい。
【００１１】
この場合、カードユニット装置からの最初の１単位（２５球）の払出要求を示す信号変化に起因して消去する構成としてもよいし、例えば1回の貸出ボタンの操作によって５００円分（１２５球）の貸し球の払出しが設定されている場合には、最後の５単位目（１２５÷２５）の払出要求を示す信号変化に起因して消去する構成でもよい。また、実際の貸し球の払出し処理の実行に起因して消去する構成としてもよい。尚、貸出要求記憶手段に記憶されてから所定時間内に貸出要求を示す信号変化なかった場合にも記憶を消去する。
【００１２】
また、貸出要求記憶手段は、残高が残っているプリペイドカードがカードユニット装置に挿入されている状態（貸し球が可能な状態）に限り、貸出要求が行われたことを記憶する構成としてもよい。これは、貸し出しが不可能な状態（プリペイドカードが挿入されていない又は挿入されたプリペイドカードの残高が０円）で貸出要求が行われても貸出要求記憶手段は記憶しない構成となる。
【００１３】
具体的には、現状では、残高が残っているプリペイドカードをカードユニット装置に挿入しているか否かによってカードユニット装置はＢＲＤＹ信号、ＢＲＱ信号を変化させない構成になっており、挿入しているか否かによって変化するのは貸出ボタンが押された際に出力される信号を受付可能状態にするか受付不可能状態にするかとなる。よって、残高の残っているプリペイドカードが挿入されているか否かに応じてＢＲＤＹ信号を変化する構成（例えば残高有りのプリペイドカードが挿入されるとＢＲＤＹ信号が「Ｌ」→「Ｈ」）とするか、新たに受付可能状態あることを示す信号を設けその信号をパチンコ遊技機に出力する構成が考えられる。
【００１４】
貸出要求異常判定手段は、貸出要求記憶手段による記憶を１単位目の払出し要求を示す信号変化に起因して消去する構成にした場合には、１回の球貸ボタン操作による１単位目の払出し要求を示す信号変化だけをみて異常であるか否かを判断する構成としても良い。この場合は、２単位目以降の払出要求を示す信号変化時には異常判定を行なわないが、貸出要求記憶手段による記憶を最後の単位の信号変化まで記憶する構成であった場合には、最後の単位の払出要求を示す信号変化まで異常判定を行う構成としてもよい。
【００１５】
貸出要求異常判定手段は、貸出要求記憶手段に貸出ボタンの操作により遊技球の貸出要求が行われたことを示す記憶がなされたあと、所定時間を経過してもカードユニット制御装置が制御する貸出要求を示す信号変化を検知できなかった場合にも異常と判定する構成が好適である。
【００１６】
貸出要求記憶手段、貸出要求異常判定手段は同一の制御装置内に設けた構成が好適である。専用の制御装置を設ける構成としてもよいが、ＢＲＤＹ信号、ＢＲＱ信号の変化を監視し、ＰＲＤＹ信号、ＥＸＳ信号を制御し、払出し装置から払出された遊技球（貸し球）を検出する払出し球検出センサーが接続された払出制御装置に、これらの手段を設ける構成が好適である。
【発明の効果】
【００１７】
請求項１記載の弾球遊技機によれば、遊技機とカードユニット装置の接続間に不正基板を取り付け、不正基板を作動させることにより球貸し処理の条件を満たしてＢＲＤＹ信号とＢＲＱ信号とを変化させても、遊技機が備える貸出要求記憶手段と貸出要求異常判定手段とによって遊技機自体が異常を判断することが可能となるため、不正な球貸しを防止する効果がある。
【図面の簡単な説明】
【００１８】
【図１】パチンコ機１の正面図である。
【図２】パチンコ機１の裏面図である。
【図３】遊技盤８の正面図である。
【図４】パチンコ機１の電気的構成を示すブロック図である。
【図５】パチンコ機１とＣＲカードユニット７とが交信する信号を示すブロック図である。
【図６】パチンコ機１とＣＲカードユニット７とが交信する各信号の内容を示す図表である。
【図７】電源投入時から正常なプリペイドカード挿入までの、パチンコ機１とＣＲカードユニット７の球貸し制御に係る信号のタイミングチャートである。
【図８】正常なプリペイドカード挿入から球貸し実施までの、パチンコ機１とＣＲカードユニット７の球貸し制御に係る信号のタイミングチャートである。
【図９】正常なプリペイドカード挿入から不正な貸出要求信号を受信した場合のパチンコ機１の球貸し制御に係る信号のタイミングチャート１である。
【図１０】正常なプリペイドカードカード挿入から不正な貸出要求信号を受信した場合のパチンコ機１の球貸し制御に係る信号のタイミングチャート２である。
【図１１】プリペイドカードの残高がなくなった場合のパチンコ機１とＣＲカードユニット７の球貸し制御に係る信号のタイミングチャートである。
【図１２】精算ボタン１７を操作した場合のパチンコ機１とＣＲカードユニット７の球貸し制御に係る信号のタイミングチャートである。
【発明を実施するための形態】
【００１９】
以下に本発明の好適な実施形態について図面を参照して説明する。尚、本発明の実施の形態は下記の実施例に何ら限定されるものではなく、本発明の技術的範囲に属する種々の形態を採り得ることができ、実施例に記載された内容の相違部分を適宜組み合わせることが可能なことはいうまでもない。
【実施例１】
【００２０】
図１に遊技機の一種であるパチンコ機１の正面図を示し、詳細に説明する。図１に示す通り、本実施例のパチンコ機１は、大きく長方形の外枠２、前面枠３、意匠枠４ａ、意匠枠４ｂとからなる筐体にて各部を保持する構造であり、外枠２の左隣にＣＲカードユニット７を設けている。ＣＲカードユニット７は、プリペイドカードの利用可否を表示するカード利用可ランプ７ａと、カードが挿入状態であると点灯し、カードが非挿入状態であると消灯するカード挿入ランプ７ｂと、カードを挿脱するカード挿入口７ｃとが図のように配置されている。
【００２１】
外枠２左側の上部には金具５ａが、下部に金具５ｂがそれぞれ設けられており、金具５ａおよび５ｂとでヒンジ機構を形成し、前面枠３は外枠２に対して開閉可能に構成され、図示しない前面枠閉鎖スイッチ３８（図４参照）が前面枠３の閉鎖状態を検出可能に装着されている。また、前面枠３左側の中部には金具５ｃが設けられ、金具５ａと金具５ｃとでヒンジ機構を形成し、意匠枠４ａは前面枠３に対して開閉可能に構成されている。さらに、金具５ｃと金具５ｂとでヒンジ機構を形成し、意匠枠４ｂは前面枠３に対して開閉可能に構成されている。
【００２２】
ヒンジ機構が形成される逆側（ここでは右側）には、外枠２と前面枠３との施錠、前面枠３と意匠枠４ａとの施錠、前面枠３と意匠枠４ｂとの施錠／解錠を行うための鍵穴６ａを有するスライド錠６（図２参照）が設けられている。
【００２３】
意匠枠４ａは、後述する遊技盤８を視認可能とするために透明樹脂板またはガラス板を備える窓部９、前面枠３に設けられたスピーカ１０の前面にスピーカ１０を保護し、且つ、効果音を通すための保護音通部１１を備えている。
【００２４】
また、意匠枠４ｂは、遊技球を貯留しておくための上皿１２および下皿１３を略中央に備え、遊技者が操作可能な遊技ボタン１４、ＣＲカードユニット７に挿入されたプリペイドカードの残高を表示する精算表示装置１５、貸し球を得る際に操作する球貸ボタン１６、ＣＲカードユニット７に挿入されたプリペイドカードを排出する際に操作する精算ボタン１７を下皿１３の左側に備えている。
【００２５】
前面枠３の右下側（意匠枠４ｂの右側）には、遊技球の発射強度を調節するための発射ハンドル１８が設けられており、発射ハンドル１８の近傍には、図示しない発射停止ボタン１９（図４参照）およびタッチ板２０が設けられている。前面枠３の下側（意匠枠４ｂの下側）には、スピーカ１０を備えたスピーカユニット２１が設けられている。
【００２６】
続いて、図２にパチンコ機１の裏面図を示し、詳細に説明する。図２に示す通り、遊技盤８を着脱可能に取り付けられる前面枠３が外枠２に収納されるような構成となっている。前面枠３には、上方から球タンク２２、タンクレール２３および払出装置２４が設けられ、遊技盤８に設けられる後述する入賞口に遊技球が入球、又は球貸ボタン１６の操作に起因するＣＲカードユニット７との交信に基づいて、払出装置２４の払出モータ２４ａが駆動し球タンク２２およびタンクレール２３に貯留されている遊技球が、前述した上皿１２に払い出される。
【００２７】
また、遊技盤８の裏面側には、主制御装置５０、サブ統合制御装置５３、演出図柄ユニット５４が設けられ、前面枠３の裏面側には、払出制御装置５１、発射制御装置５２、電源装置５５が各々設けられ、電源装置５５には電源スイッチ５５ａおよびＲＡＭクリアスイッチ５５ｂ、図示しないバックアップ用電源が設けられている。尚、発射制御装置５２が図示されていないが、払出制御装置５１で隠れる位置に配置されている。
【００２８】
さらに、前面枠３には、外部接続端子板６１が設けられており、この外部接続端子板６１から遊技状態、遊技結果、不正行為等を示す信号がホールコンピュータ７０（図４参照）に送られるように構成されている。尚、本実施例では外部接続端子板６１を盤用、枠用を兼用する構成としているが、盤用、枠用の外部接続端子板を個々に備えるように構成しても何ら差し支えない。
【００２９】
続いて、図３に遊技盤８の正面図を示し、詳細に説明する。図３に示す通り、遊技盤８には公知のガイドレール２５ａ、２５ｂによって囲まれた略円形の遊技領域２６が設けられ、多数の遊技釘２７が植設されている。遊技領域２６の略中央には、窓部２８ａを有する液晶枠飾り２８が設けられており、演出図柄表示装置５４ｂ（図４参照）のＬＣＤ画面が遊技者から視認可能に構成され、図示しない公知のワープ入口、ワープ通路、ステージ等も設けられている。
【００３０】
液晶枠飾り２８の左右両側または左側には後述する普通図柄作動スイッチ３２ａ（図４参照）を備える普通図柄作動ゲート３２が設けられており、下側には後述する特別図柄始動スイッチ３１ａ（図４参照）を備える普通電動役物３１が特別図柄の始動口として設けられている。普通電動役物３１の下方には、アタッカー式の大入賞口３３ａを備える大入賞口ユニット３３が配置され、該大入賞口ユニット３３の下方にはアウト口３４が設けられている。また、大入賞口ユニット３３の左右両側には、後述する一般入賞口スイッチ３５ｂ（図４参照）を備える一般入賞口３５ａが複数備えられる入賞口ユニット３５が設けられている。
【００３１】
続いて、図４にパチンコ機１の電気配線を示すブロック図を示し説明する。尚、このブロック図には、煩雑になる電源回路に関する記載は行わないが、電源が必要な制御装置若しくはアクチュエータ類には電源装置５５から直接的または間接的に供給される構成となっている。
【００３２】
図４に示す通り、主制御装置５０の入力端には、遊技盤中継端子板６２を介して普通電動役物３１に入球した遊技球を検出する特別図柄始動スイッチ３１ａと、普通図柄作動ゲート３２に入球した遊技球を検出する普通図柄作動スイッチ３２ａと、大入賞口３３ａに入球した遊技球を検出するカウントスイッチ３３ｂと、一般入賞口３５ａに入球した遊技球を検出する一般入賞口スイッチ３５ｂとが、裏配線中継端子板６３を介して前面枠３が閉鎖していることを検出する前面枠閉鎖スイッチ３８と、意匠枠４ａ・４ｂが閉鎖していることを検出する意匠枠閉鎖スイッチ３９ａ、３９ｂと、が接続されている。
【００３３】
前面枠閉鎖スイッチ３８及び意匠枠閉鎖スイッチ３９ａ、３９ｂは、内部に電池（１次電池又は２次電池のいずれでも良い）を備えており、通常時（電源が供給され、且つ、電源スイッチ５５ａがＯＮ）は後述する裏配線中継端子板６３から供給されるＤＣ１２Ｖで動作し、電源が供給されないとき（電源遮断又は電源スイッチＯＦＦ）には、電池の電源を利用して前面枠３又は意匠枠４ａ、４ｂの閉鎖状態を出力する構成となっている。また、電池として１次電池を採用する場合には電池の消耗によって交換（電池のみ交換又はリミットスイッチを交換）することとなるが、２次電池を採用する場合には通常時に充電する構成とし、繰り返し利用可能に構成することが望ましい。
【００３４】
主制御装置５０の出力端には、遊技盤中継端子板６２を介して大入賞口３３ａの扉部材を駆動する大入賞口ソレノイド３３ｃと、普通電動役物３１の羽根部材を駆動する普通電役ソレノイド３１ｂと、図柄表示装置中継端子板６４を介して特別図柄を表示する特別図柄表示装置２９と、特別図柄の保留数を表示する特別図柄保留数表示装置２９ａと、普通図柄を表示する普通図柄表示装置３０と、普通図柄の保留数を表示する普通図柄保留数表示装置３０ａと、裏配線中継端子板６３および外部接続端子板６１を介してホールコンピュータ７０と、が接続されている。
【００３５】
主制御装置５０はＣＰＵ、ＲＯＭ、ＲＡＭ等の電気部品を備えており、搭載するＲＯＭに記憶されたプログラムに従ってＣＰＵにて処理を実行し、入力される各種検出信号などに基づいて遊技の進行に関わる各種コマンド等を生成し、払出制御装置５１およびサブ統合制御装置５３に出力する。また、主制御装置５０は、前面枠閉鎖スイッチ３８又は意匠枠閉鎖スイッチ３９ａ、３９ｂから前面枠３又は意匠枠４ａ、４ｂの閉鎖状態時に出力される検出信号が入力されることで、外部接続端子板６１を介してホールコンピュータ７０に前面枠又は意匠枠が閉鎖状態にあることを示す信号（検出信号に準ずる信号）を出力するように構成されている。主制御装置５０と払出制御装置５１とは双方向通信回路として構成され、主制御装置５０とサブ統合装置５３とは間に演出中継端子板６５を介した主制御装置５０からサブ統合装置５３への一方向通信回路として構成されている。
【００３６】
払出制御装置５１の入力端には、遊技球の貸出しを要求するための球貸スイッチ１６ａと、ＣＲカードユニット７に挿入されたプリペイドカードの排出を要求するための精算スイッチ１７ａと、裏配線中継端子板６３を介して球タンク２２またはタンクレール２３内の遊技球が不足していることを検出する球切れスイッチ２２ａ、２３ａと、裏配線中継端子板６３および払出中継端子板６６を介して払出した又は貸出した遊技球を検出する払出スイッチ２４ｂと、各種端子板を介することなく下皿１３への経路に遊技球が多数あることを検出する満杯スイッチ１３ａとが接続されている。
【００３７】
払出制御装置５１の出力端には、ＣＲカードユニット７に挿入したプリペイドカードに記憶する金額（残高）を表示する精算表示装置１５と、裏配線中継端子板６３および払出中継端子板６６を介して遊技球を上皿へと払い出す払出モータ２４ａと、発射制御装置５２とが接続されており、発射制御装置５２へは発射停止信号を送信する。
【００３８】
払出制御装置５１はＣＲカードユニット端子板６０を介してＣＲカードユニット７が双方向通信可能に接続されており、払出制御装置５１はＣＲカードユニット７と交信することで払出モータ２４ａを駆動させ、貸し球を排出する。払出された貸し球は払出スイッチ２４ｂに検出され、検出信号は払出制御装置５１に入力される。
【００３９】
払出制御装置５１はＣＰＵ、ＲＯＭ、ＲＡＭ等の電気部品を備えており、搭載するＲＯＭに記憶されたプログラムに従ってＣＰＵにて処理を実行し、入力される各種検出信号ならびに主制御装置５０から入力されるコマンドに基づいて遊技球の払い出しに関わる各種コマンド等を生成し、主制御装置５０および発射制御装置５２に出力する。払出制御装置５１と主制御装置５０とは双方向通信回路として構成され、払出制御装置５１と発射制御装置５２とは払出制御装置５１から発射制御装置５２への一方向通信回路として構成されている。
【００４０】
発射制御装置５２の入力端には、発射を停止するための発射停止スイッチ１９ａと、発射ハンドル１７に遊技者が触れていることを検出するタッチスイッチ２０ａと、が接続されている。発射制御装置５２の出力端には、遊技球を遊技領域２６へ発射するための発射モータ３６が接続されている。発射制御装置５２はＣＰＵ、ＲＯＭ、ＲＡＭを備えず、ＩＣ等で構成されたデジタル回路であり、入力される各種検出信号ならびに払出制御装置５１からの入力に基づいて発射モータ３６の駆動を制御している。
【００４１】
サブ統合制御装置５３の入力端には、遊技者により操作可能な遊技スイッチ１４ａが接続されている。サブ統合制御装置５３の出力端には、意匠枠４ａ、４ｂおよび遊技盤８に備えられる各種ＬＥＤ・ランプ３７と、前面枠３およびスピーカユニット２１に備えられるスピーカ１０と、が接続されている。サブ統合装置５３と主制御装置５０とは間に演出中継端子板６５を介した主制御装置５０からサブ統合装置５３への一方向通信回路として構成され、サブ統合制御装置５３と演出図柄制御装置５４ａとはサブ統合制御装置５３から演出図柄制御装置５４ａへの一方向通信回路として構成されている。
【００４２】
サブ統合制御装置５３はＣＰＵ、ＲＯＭ、ＲＡＭ等の電気部品を備えており、搭載するＲＯＭに記憶されたプログラムに従ってＣＰＵにて処理を実行し、入力される遊技スイッチ１４ａの入力ならびに主制御装置５０から入力されるコマンドに基づいて演出に関わる各種コマンド等を生成し、演出図柄ユニット５４の演出図柄制御装置５４ａに出力する。
【００４３】
また、サブ統合制御装置５３には、音量を調節する音量調節スイッチ１０ａが備えられ、音量調節スイッチ１０ａの状態（位置）を検出し、その検出結果とスピーカ１０へ送信する内容とを判断し、スピーカ１０から出力する音量をソフト的に制御するように構成されている。例えば、遊技に伴う演出音声やエラー報知の一部（前面枠３、意匠枠４ａ、４ｂ等の枠開放／閉鎖報知など）の音声は、音量調節スイッチ１０ａの状態に応じて変更された音量でスピーカ１０から出力され、その他のエラー報知（特殊報知など）は音量調節スイッチ１０ａの状態に関わらず予め設定された音量でスピーカ１０から出力されるように構成することができる。
【００４４】
電源装置５５には、遊技機外部から（電源中継基板を配置する場合には、電源中継基板を介して）電源としてＡＣ２４Ｖが供給され、このＡＣ２４Ｖから電源装置５５内で全波２４Ｖ、ＤＣ５Ｖ、ＤＣ１２Ｖ、ＤＣ１８Ｖ、ＤＣ２４ＶおよびＤＣ３２Ｖを生成し、各制御装置（５０、５１）および各端子板（６０、６５）に必要に応じた電源を供給する構成となっている。また、電源装置５５には、電源を監視するための給電監視回路および停電監視回路、電源の供給が停止した際に制御装置のＲＡＭに記憶された遊技情報を保持するために必要な電源（ＶＢＢ）を供給するためのバッテリーバックアップ電源を備えている。
【００４５】
バッテリーバックアップ電源は、電源スイッチ５５ａのＯＦＦや停電等によってパチンコ機１に電源が供給できない状態となった際に、主制御装置５０および払出制御装置５１のＲＡＭに記憶された遊技情報を保持するために必要な電源（ＶＢＢ）を供給するために用いられている。
【００４６】
電源装置５５に設けられたＲＡＭクリアスイッチ５５ｂは、これをオン操作すると電源装置５５はＲＡＭクリア信号を出力し、主制御装置５０に入力される。給電検出回路は、電源装置５５から主制御装置５０、払出制御装置５１等への給電の有無を検出し、電源装置５５から主制御装置５０等へ給電されるとリセット信号を出力し、この信号は主制御装置５０及び払出制御装置５１に入力される。
【００４７】
次に、払出制御装置５１とＣＲカードユニットが交信する信号内容を図５、図６を用いて説明する。図５に示すように払出制御装置５１の入力端（貸し球処理に係る）には、球貸スイッチ１６ａと、精算スイッチ１７ａと、払出スイッチ２４ｂとが接続され、出力端には精算表示装置１５が接続されている。球貸スイッチ１６ａからは球貸ボタン１６の操作に応じて払出制御装置５１に球貸スイッチ信号が入力される。精算スイッチ１７ａからは精算ボタン１７の操作に応じて払出制御装置５１に精算スイッチ信号が入力される。払出スイッチ２４ｂからは貸し球及び賞球の検出に応じて払出中継端子板６６と裏配線中継端子板６３を介して払出制御装置５１に払出スイッチ信号が入力される。
【００４８】
ＣＲカードユニット７から払出制御装置５１に送信される信号には、ＢＲＤＹ信号とＢＲＱ信号と、表示制御信号とがあり、ＣＲカードユニット端子板６０を介して払出制御装置５１に送信する。ＢＲＤＹ信号とは図６に示すようにＣＲカードユニット７が貸出しの処理中であることを払出制御装置５１に伝達する信号であり、ＢＲＱ信号とは、ＣＲカードユニット７が基本単位１度（２５個）の貸出要求と貸出指示を払出制御装置５１に伝達する信号である。
【００４９】
表示制御信号とは、ＣＲカードユニット７へのプリペイドカード（残高有）の挿入時、又はプリペイドカード（残高有）挿入状態で球貸ボタン１６等の操作時（球貸スイッチ信号等の入力時）に、ＣＲカードユニット７において読取り又は更新されたプリペイドカードの残度数（残高）を示す信号であり、受信した正常な表示制御信号は精算表示装置１５に出力される。払出制御装置５１には、球貸ボタン１６の操作（球貸スイッチ信号の送信）に応じて表示制御信号の受信状況を監視する機能と、受信した確定表示用の表示制御信号を記憶する表示制御信号記憶領域を備えている。尚、ＣＲカードユニット７が送信する表示制御信号には確定表示用の信号と、貸出処理中用の信号が有る。
【００５０】
払出制御装置５１からＣＲカードユニット７に送信される信号には、ＰＲＤＹ信号と、ＥＸＳ信号と、球貸スイッチ信号と、精算スイッチ信号とがあり、ＣＲカードユニット端子板６０を介してＣＲカードユニット７に送信する。ＰＲＤＹ信号とは図６に示すようにＣＲカードユニット７に遊技球の貸出し動作が可能であることを伝達する信号であり、ＥＸＳ信号とは貸出しの要求了解と貸出完了を伝達する信号である。
【００５１】
ＢＲＤＹ信号、ＢＲＱ信号、ＰＲＤＹ信号、ＥＸＳ信号は、常時Ｈｉｇｈ状態又はＬｏｗ状態にあり、払出制御装置５１及びＣＲカードユニット７は受信する各信号の切替わり変化（例えばＨｉｇｈ状態からＬｏｗ状態への変化、又はＬｏｗ状態からＨｉｇｈ状態への変化）に応じて球貸し制御を行う構成となっている。
【００５２】
尚、従来機においては、球貸スイッチ信号と精算スイッチ信号は、払出制御装置５１に入力されること無くＣＲカードユニット端子板６０を介してＣＲカードユニット７に入力され、ＣＲカードユニット７から出力された精算制御信号も払出制御装置５１に入力されずにユニット端子板６０から直接精算表示装置１５に出力されていた。従って、ＣＲカードユニット７とＣＲカードユニット端子板６０との間に不正基板を取り付けられ、偽のＢＲＤＹ信号とＢＲＱ信号を送信されても、その偽の信号が実際の球貸ボタン１６の操作に応じた正規の信号か否かをパチンコ機１が判定できず、偽の信号が条件さえ満たしていれば貸し球を実施してしまう状況であった。
【００５３】
本実施例では、球貸スイッチ信号と精算スイッチ信号と精算制御信号とが払出制御装置５１に入力される構成となっているため、ＣＲカードユニット７から入力されるＢＲＤＹ信号とＢＲＱ信号が、球貸ボタン１６または精算ボタン１７の操作に応じた正規の信号か否かを払出制御装置５１によって判定可能な構成となっている。
【００５４】
具体的なＣＲカードユニット７と払出制御装置５１の制御例を、図７から図１２に示すタイミングチャートを用いて説明する。図７は電源が投入されてからＣＲカードユニット７に正規のプリペイドカードが挿入されるまでの制御（信号変化）を示すタイミングチャートである。本実施例において電源が投入されると（ア）、精算表示装置１５に初期設定表示を行った後（イ）、各信号の初期状態を監視するタイマによって監視期間（Ｔｓ）を実施する（イーウ）。
【００５５】
監視期間（Ｔｓ）の実施中に各信号が初期状態、詳しくはＢＲＤＹ信号がＬｏｗ状態（以下「Ｌ」）、ＢＲＱ信号がＨｉｇｈ状態（以下「Ｈ」）、ＰＲＤＹ信号が「Ｌ」、ＥＸＳ信号が「Ｈ」となると、図５に示したＣＲカードユニット７と払出制御装置５１と払出制御装置５１に接続された各機器とが正常な動作状態であると判断され、プリペイドカードの挿入が可能となる。
【００５６】
プリペイドカードの挿入が可能になってから、ＣＲカードユニット７にプリペイドカード（例えば残度数が１００（１０，０００円））が挿入されると（エ）、ＣＲカードユニット７はプリペイドカードの残度数を読み取り、ＢＲＤＹ信号を「Ｈ」状態に変化させ、読み取った残度数に応じた内容を確定表示用の表示制御信号として払出制御装置５１に送信する。払出制御装置５１は受信した表示制御信号の内容を精算表示装置１５に出力し度数１００を表示するとともに、表示制御信号の内容を表示制御信号記憶領域に記憶する。
同時に球貸ボタン１６（球貸スイッチ１６ａ）及び精算ボタン１７（精算スイッチ１７ａ）の操作（信号）が受付可能となる。
【００５７】
払出制御装置５１の表示制御信号記憶領域に記憶された内容は、新たにＣＲカードユニット７から表示制御信号を受信し、記憶された前回の表示制御信号の内容との比較処理が実施された後消去され、新たに受信した表示制御信号の内容が記憶される。また、払出制御装置５１が精算スイッチ信号を受信すると表示制御信号記憶領域の内容はクリアされる。
【００５８】
尚、挿入したプリペイドカードの残度数が０度の場合はプリペイドカードは排出され、ＢＲＤＹ信号も「Ｌ」状態のまま変化しない。本実施例においても１度あたりに相当する金額は１００円であり、貸し球に換算すると２５球となる。この１度に対して２５球の貸し球払出しは、払出制御装置５１に記憶されており、本実施例では１回の球貸ボタン１６の操作、言い換えれば１回の球貸スイッチ信号の送信で３回（３度数の遊技球（７５球））の払出しが実施されるように設定されている。なお、１回の球貸スイッチ信号の受信で実施する払出回数（度数）は、任意に設定が可能な構成となっている。
【００５９】
次に、プリペイドカード挿入後に実施される、正常な球貸し動作について図８のタイミングチャートを用いて説明する。ＣＲカードユニット７に残度数があるプリペイドカードが挿入され（エ）、球貸ボタン１６が操作されると（オ）、即ち、球貸スイッチ信号が払出制御装置５１を介してＣＲカードユニットに送信されると、球貸スイッチ信号を受信したＣＲカードユニット７は、ＢＲＤＹ信号を「Ｈ」から「Ｌ」に変化させることによって貸出処理中となったことを払出制御装置５１に伝達する。この処理の流れの中で、球貸ボタン１６の操作に基づく球貸スイッチ信号が払出制御装置５１にを介してＣＲカードユニット７に入力されるが、この時点で、払出制御装置５１に備えられた球貸スイッチ信号記憶装置（本願発明における貸出要求記憶手段に該当）に「送信信号有り」の記憶が格納される。
【００６０】
次に、球貸スイッチ信号の受信に応じてＢＲＤＹ信号を「Ｈ」から「Ｌ」に変化させたＣＲカードユニット７は、ＢＲＱ信号を「Ｈ」から「Ｌ」に変化させる（カ）。払出制御装置５１はこのＢＲＱ信号の変化を検知するが、球貸スイッチ信号記憶装置が球貸スイッチ信号の「送信信号有り」を記憶してからｔ９期間（オーカ）内にＢＲＱ信号の変化を検知できない場合は、異常状態と判定し、球貸し処理を中断する構成となっている。この構成は本願発明における貸出ボタンの操作に起因して前記カードユニット制御装置が変化させる信号の状態とに応じて異常か否かを判定する貸出要求異常判定手段が異常と判定し貸し球の払出しを実施しない構成に該当するものである。
【００６１】
この場合パチンコ機１は、球貸し処理を中断するとともに異常状態を示す信号を主制御装置５０に送信することによってパチンコ機１はエラー処理を実施する構成となっている。このエラー処理によってパチンコ機１は、ホールコンピュータ７０にＣＲカードユニットエラーを示す信号を送信し、ＣＲカードユニットはプリペイドカードを排出しＢＲＤＹ信号を「Ｌ」のまま保持する。この場合、パチンコ機１自体がエラー状態を報知する構成（例えば演出図柄表示装置５４ｂに「カードユニットエラー」を表示したり、各種ＬＥＤ・ランプの発光態様を変化させる）としてもよく、エラー状態はホールスタッフによりパチンコ機１裏面のＲＡＭクリアスイッチ５５ｂを操作することによって解除される構成としても良い。
【００６２】
払出制御装置５１がｔ９期間（オーカ）の正常範囲内でＢＲＱ信号の変化を検知すると、払出制御装置５１はＥＸＳ信号を「Ｈ」から「Ｌ」に変化させる。このＥＸＳ信号の変化をＣＲカードユニット７が検知すると、ＢＲＱ信号を「Ｌ」から「Ｈ」に変化させる（キ）。同時にプリペイドカードに記憶された残度数１００から１回の貸し球払出しに応じた１度を減算してプリペイドカードの記憶情報を９９に更新し、貸球払出動作中に表示する精算制御信号を払出制御装置５１に送信する。
【００６３】
ＢＲＱ信号の変化を検知すると同時に精算表示信号を受信した払出制御装置５１は、払出装置２４を制御して１度数に応じた２５個の遊技球の払出しを開始し、受信した精算表示信号の内容に応じて精算表示装置１５にその内容（９９）を点滅表示させる。
【００６４】
１回目の貸球の払出しが完了すると、払出制御装置５１はＥＸＳ信号を「Ｌ」から「Ｈ」に変化させる（ク）。この変化を検知したＣＲカードユニット７はプリペイドカードの残度数を確定表示するための精算表示信号を払出制御装置５１に送信する。払出制御装置５１は、確定表示用の精算表示信号の受信を確認し受信した確定表示用の精算表示信号の内容と表示制御信号記憶領域に記憶されている内容とを比較し、１回の貸し球払出しに応じた度数変化か否か（正常な更新内容か否か）を判定する。肯定判定なら、受信した確定表示用の精算表示信号の内容に従って精算表示装置１５に確定表示（９９の点灯表示）を行なう。否定判定なら、異常が発生したと判断し、遊技球の貸出しを中止すると同時にパチンコ機１は上記した内容と同一のエラー処理を実施する。
【００６５】
肯定判定（異常状態とならなかった）であった場合は、ＣＲカードユニット７はＥＸＳ信号の「Ｌ」から「Ｈ」への変化を検知したことに基づき２回目の球貸し処理を実行するためにＢＲＱ信号を「Ｈ」から「Ｌ」に変化させる（カ’）。
【００６６】
払出制御装置５１がＢＲＱ信号の「Ｈ」から「Ｌ」の変化を検知すると、ＥＸＳ信号を「Ｈ」から「Ｌ」に変化させる。このＥＸＳ信号の変化をＣＲカードユニット７が検知すると、ＢＲＱ信号を「Ｌ」から「Ｈ」に変化させる（キ’）。同時にプリペイドカードに記憶された残度数９９から１回の貸し球払出しに応じた１度を減算してプリペイドカードの記憶情報を９８に更新し、貸球払出動作中に表示する精算制御信号として払出制御装置５１に送信する。
【００６７】
ＢＲＱ信号の変化を検知すると同時に精算表示信号を受信した払出制御装置５１は、払出装置２４を制御して１度数に応じた２５個の遊技球の払出しを開始し、受信した精算表示信号の内容に応じて精算表示装置１５にその内容（９８）を点滅表示させる。
【００６８】
２回目の貸球の払出しが完了すると、払出制御装置５１はＥＸＳ信号を「Ｌ」から「Ｈ」に変化させる。この変化を検知したＣＲカードユニット７はプリペイドカードの残度数を確定表示するための精算表示信号を払出制御装置５１に送信する。払出制御装置５１は、受信した確定表示用の精算表示信号の内容（９９）に従って精算表示装置１５に確定表示（点灯表示）を行なう。
【００６９】
続いてＣＲカードユニット７は、ＥＸＳ信号の「Ｌ」から「Ｈ」への変化を検知したことに基づき３回目の球貸し処理を実行するためにＢＲＱ信号を「Ｈ」から「Ｌ」に変化させる（カ’’）。払出制御装置５１がＢＲＱ信号の「Ｈ」から「Ｌ」の変化を検知すると、ＥＸＳ信号を「Ｈ」から「Ｌ」に変化させる。このＥＸＳ信号の変化をＣＲカードユニット７が検知すると、ＢＲＱ信号を「Ｌ」から「Ｈ」に変化させる（キ’’）。同時にプリペイドカードに記憶された残度数９８から１回の貸し球払出しに応じた１度を減算してプリペイドカードの記憶情報を９７に更新し、貸球払出動作中に表示する精算制御信号として払出制御装置５１に送信する。
【００７０】
ＢＲＱ信号の変化を検知すると同時に精算表示信号を受信した払出制御装置５１は、払出装置２４を制御して１度数に応じた２５個の遊技球の払出しを開始し、受信した精算表示信号の内容に応じて精算表示装置１５にその内容（９７）を点滅表示させる。
【００７１】
３回目の貸球の払出しが完了すると、払出制御装置５１はＥＸＳ信号を「Ｌ」から「Ｈ」に変化させる。この変化を検知したＣＲカードユニット７はプリペイドカードの残度数を確定表示するための精算表示信号を払出制御装置５１に送信し、払出制御装置５１は、受信した確定表示用の精算表示信号の内容（９７）に従って精算表示装置１５に確定表示（点灯表示）を行なう。続いてＣＲカードユニット７は、一連の球貸し処理が終了したことによりＢＲＤＹ信号を「Ｌ」から「Ｈ」に変化させる（エ’）。この時点から球貸ボタン１６（球貸スイッチ１６ａ）及び精算ボタン１７（精算スイッチ１７ａ）の操作（信号）が受付可能となる。
【００７２】
次に、ＣＲカードユニット７とＣＲカードユニット端子板の間に不正基板等を取り付けられ、払出制御装置５１がＣＲカードユニット７側の不正な信号変化を検知した場合（又は正常な信号を未受信の場合）について、図９、図１０を用いて説明する。図９は、球貸ボタン１６が操作されていないにも拘らず本来ならＣＲカードユニット７が制御するＢＲＤＹ信号とＢＲＱ信号とが変化した場合を示すタイミングチャートである。
【００７３】
ＢＲＤＹ信号の「Ｈ」から「Ｌ」への変化に続いて、ＢＲＱ信号が「Ｈ」から「Ｌ」に変化したのを払出制御装置５１が検知すると（カ）、払出制御装置５１は、この変化の基となる球貸スイッチ信号の送信記憶が球貸スイッチ信号記憶装置に「送信信号有り」として記憶されているか否か判定する（本願発明における貸出要求異常判定手段）。この場合、本来なら破線部で実施されたはずの球貸ボタン１６の操作（球貸スイッチ信号の送信）が行なわれていないため否定判定となり、異常発生と判断される。
【００７４】
異常発生と判断すると、ＥＸＳ信号を「Ｈ」から「Ｌ」に変化させた状態で保持し、ＰＲＤＹ信号を「Ｌ」から「Ｈ」に変化させることによってパチンコ機１側が球貸し動作の不可能な状態であることを伝達し、ホールコンピュータ７０にＣＲカードユニットエラーを示す信号を送信する。この場合、パチンコ機１はエラー状態の報知を行なわず、球貸ボタン１６、精算ボタン１７の操作と、貸し球の払出しを禁止した状態とするが、賞球の払出は実施しても良い。また、パチンコ機１自体がエラー状態を報知する構成（例えば演出図柄表示装置５４ｂに「カードユニットエラー」を表示したり、各種ＬＥＤ・ランプの発光態様を変化させる）としてもよく、エラー状態はホールスタッフによりパチンコ機１裏面のＲＡＭクリアスイッチ５５ｂを操作することによって解除される構成としても良い。
【００７５】
このように、不正基板を作動させ不正な球貸しを行なった場合、球貸ボタン１６の操作の記憶（球貸スイッチ信号の送信記憶）を基に異常状態を検出する構成となっているが、不正の実行者が球貸ボタン１６の操作にタイミングを合わせて不正基板を作動させ、偽ＢＲＤＹ信号と偽ＢＲＱ信号をパチンコ機１（払出制御装置５１）に送信すれば、異常状態が検出されずに不正を実行することは可能となる。但し、不正の実行者は絶えず球貸ボタン１６の操作タイミングに注意しながら不正を行なわなければならず、その手間に対してリスクは非常に高いため抑止効果が高い。
【００７６】
次に、不正貸出の実行者が上記（図９）のタイミングでの異常状態を避けるため、球貸ボタン１６の操作を行ないながら不正基板を使用した場合に、本願発明における表示制御信号異常判定手段によって異常が発生するまでのタイミングチャートを図１０を用いて説明する。
【００７７】
ＢＲＤＹ信号が「Ｈ」から「Ｌ」に変化したのを検知したのに続いて、偽ＢＲＱ信号が「Ｈ」から「Ｌ」に変化したのを払出制御装置５１が検知すると（カ）、払出制御装置５１は、この変化の基となる球貸スイッチ信号の送信記憶が球貸スイッチ信号記憶装置に「送信信号有り」として記憶されているか否か判定する。この場合、不正基板の作動（信号変化）に合わせて（オーカの範囲内で）貸出ボタン１６が操作（貸出スイッチ信号が送信）されており、球貸スイッチ信号記憶装置に「送信信号有り」の記憶があるため正常と判断される。
【００７８】
払出制御装置５１が偽ＢＲＱ信号の変化を正常状態として検知すると、ＥＸＳ信号を「Ｈ」から「Ｌ」に変化させる。この変化後に不正基板からの偽ＢＲＱ信号が「Ｌ」から「Ｈ」に変化する（キ）。この偽ＢＲＱ信号の変化（「Ｌ」から「Ｈ」）を検知した払出制御装置５１は、払出装置２４を制御して１度数に応じた２５個の遊技球の払出しを開始する。
【００７９】
払出が完了すると払出制御装置５１はＥＸＳ信号を「Ｌ」から「Ｈ」に変化させる（ク）。この時点で本来ならＥＸＳ信号の「Ｌ」から「Ｈ」への変化を検知したＣＲカードユニット７からプリペイドカードの残度数を確定表示するための精算表示信号が払出制御装置５１に送信されるが、この精算表示信号を未受信か、又は受信してもその受信内容が表示制御信号記憶領域に記憶されている内容と比較して正常な更新内容（記憶内容から１度数減算された内容）でなければ異常発生と判断する。この場合、精算表示信号を未受信のため異常発生と判断される。
【００８０】
異常発生と判断すると、図９の処理と同様にＥＸＳ信号を「Ｈ」から「Ｌ」に変化させた状態で保持し、ＰＲＤＹ信号を「Ｌ」から「Ｈ」に変化させることによってパチンコ機１側が球貸し動作が不可能な状態であることを伝達し、ホールコンピュータ７０にＣＲカードユニットエラーを示す信号を送信する。この場合も、パチンコ機１はエラー状態の報知を行なわず、球貸しボタン１６、精算ボタン１７の操作と、貸し球の払出しを禁止した状態とするが、賞球の払出は実施しても良い。また、パチンコ機１自体がエラー状態を報知する構成（例えば演出図柄表示装置５４ｂに「カードユニットエラー」を表示したり、各種ＬＥＤ・ランプの発光態様を変化させる）としてもよく、エラー状態はホールスタッフによりパチンコ機１裏面のＲＡＭクリアスイッチ５５ｂを操作することによって解除される構成としても良い。
【００８１】
尚、（キ）の時点においても本来ならＣＲカードユニット７から払出制御装置５１に貸球払出動作中に表示する表示制御信号が送信されるため、この時点で表示制御信号を受信したか否か、又は受信した場合はその受信内容が正常な更新内容か否かを判定する構成としても良い。
【００８２】
また、ＣＲカードユニット７はプリペイドカードの残度数（残高）が０になった時点でプリペイドカードを排出する機能を備えているが、新たなプリペイドカード（残高有）が挿入されない状態で表示制御信号を受信した場合も異常状態と判断する構成となっている。また、同一のプリペイドカード（残高有）が挿入されたままの状態で受信した表示制御信号の内容が表示制御信号記憶領域に記憶されている内容よりも大きい値と判定されると異常状態と判断する構成となっている。尚、ＣＲカードユニット７の正規の機能として有価情報が新たに書き込まれた場合には異常とは判断されない。
【００８３】
これらの構成は、パチンコ機１（払出制御装置５１）がＣＲカードユニット７へのプリペイドカードの挿入、排出を判断可能とする機能を基にした構成であり、本実施例では、球貸し動作中以外にＢＲＤＹ信号が「Ｌ」に変化するのを検知することによってプリペイドカードの排出を判断可能としている。
【００８４】
図１１、図１２はＣＲカードユニット７が制御するＢＲＤＹ信号が「Ｌ」に変化することによって払出制御装置５１がカードの排出を判断する場合を示す例であり、図１１は、プリペイドカードの残高が０になるとＢＲＤＹ信号が「Ｌ」になることを示すタイミングチャートである。１回の球貸ボタン１６の操作に応じて設定された球貸し度数３度（３回の払出し）に満たない残度数２度のプリペイドカードがＣＲカードユニット７に挿入された状態で、ＢＲＤＹ信号は「Ｈ」であり、球貸ボタン１６の操作に応じた球貸スイッチ信号をＣＲカードユニット７が受信すると（オ）、球貸し動作中を示すためにＢＲＤＹ信号を「Ｈ」から「Ｌ」に変化させる。
【００８５】
続いて、ＣＲカードユニット７はＢＲＱ信号を「Ｈ」から「Ｌ」に変化させる。払出制御装置５１がｔ９期間（オーカ）の正常範囲内でＢＲＱ信号の「Ｈ」から「Ｌ」の変化を検知すると、払出制御装置５１はＥＸＳ信号を「Ｈ」から「Ｌ」に変化させる。このＥＸＳ信号の変化をＣＲカードユニット７が検知すると、ＢＲＱ信号を「Ｌ」から「Ｈ」に変化させる（キ）。同時にプリペイドカードに記憶された残度数２から１回の貸し球払出しに応じた１度を減算してプリペイドカードの記憶情報を１に更新し、貸球払出動作中に表示する精算制御信号を払出制御装置５１に送信する。
【００８６】
ＢＲＱ信号の「Ｌ」から「Ｈ」の変化を検知すると同時に精算表示信号を受信した払出制御装置５１は、払出装置２４を制御して１度数に応じた２５個の遊技球の払出しを開始し、受信した精算表示信号の内容に応じて精算表示装置１５にその内容（１）を点滅表示させる。
【００８７】
１回目の貸球の払出しが完了すると、払出制御装置５１はＥＸＳ信号を「Ｌ」から「Ｈ」に変化させる（ク）。この変化を検知したＣＲカードユニット７はプリペイドカードの残度数を確定表示するための精算表示信号を払出制御装置５１に送信する。払出制御装置５１は、確定表示用の精算表示信号の受信を確認し受信した確定表示用の精算表示信号の内容と表示制御信号記憶領域に記憶されている内容とを比較し、１回の貸し球払出しに応じた度数変化か否か（正常な更新内容か否か）を判定する。肯定判定なら、受信した確定表示用の精算表示信号の内容に従って精算表示装置１５に確定表示（１の点灯表示）を行なう。
【００８８】
精算表示信号が正常な内容であれば制御が継続され、ＣＲカードユニット７はＥＸＳ信号の「Ｌ」から「Ｈ」への変化を検知したことに基づき２回目の球貸し処理を実行するためにＢＲＱ信号を「Ｈ」から「Ｌ」に変化させる（カ’）。払出制御装置５１がＢＲＱ信号の「Ｈ」から「Ｌ」の変化を検知すると、ＥＸＳ信号を「Ｈ」から「Ｌ」に変化させる。このＥＸＳ信号の変化をＣＲカードユニット７が検知すると、ＢＲＱ信号を「Ｌ」から「Ｈ」に変化させる（キ’）。
【００８９】
同時にプリペイドカードに記憶された残度数１から１回の貸し球払出しに応じた１度を減算してプリペイドカードの記憶情報を０に更新し、プリペイドカードの残度数が０となったことによりプリペイドカードの排出処理を実施する。このときＣＲカードユニット７は、プリペイドカードを排出することを示す確定表示用の精算表示信号を払出制御装置５１に送信する。
【００９０】
ＢＲＱ信号の変化を検知すると同時に精算表示信号を受信した払出制御装置５１は、払出装置２４を制御して１度数に応じた２５個の遊技球の払出しを開始し、受信したプリペイドカードの排出を示す精算表示信号に応じて精算表示装置１５に精算表示装置１５でデモ表示を開始する。
【００９１】
２回目の貸球の払出しが完了すると、払出制御装置５１はＥＸＳ信号を「Ｌ」から「Ｈ」に変化させる。ＣＲカードユニット７は球貸し処理中はＢＲＤＹ信号を「Ｌ」状態に保持し、残度数の無くなったプリペイドカードの排出処理を実施したことによりそのまま「Ｌ」状態を継続する。尚、従来は残度数が０になったプリペイドカード排出にともない、ＢＲＤＹ信号は「Ｌ」から「Ｈ」に信号が変化する構成であった（図の破線部）。
【００９２】
図１２は、精算ボタンを操作するとＢＲＤＹ信号が「Ｌ」になることを示すタイミングチャートである。ＣＲカードユニット７に、残高の有るプリペイドカードが挿入された状態では（残高の無いプリペイドカードは自動排出されるためこのような残高無しのプリペイドカードが排出されない状態を検知すると異常状態となる）、ＢＲＤＹ信号が「Ｈ」状態を保持している。
【００９３】
この状態で精算ボタン１７が操作され精算スイッチ信号が払出制御装置５１を介してＣＲカードユニット７に送信されると、精算スイッチ信号を受信したＣＲカードユニット７はＢＲＤＹ信号を「Ｌ」に変化させると同時にプリペイドカードの排出処理を実施する。このときＣＲカードユニット７は、プリペイドカードを排出することを示す確定表示用の精算表示信号を払出制御装置５１に送信する。プリペイドカードの排出を示す確定表示用の精算表示信号を受信した払出制御装置５１は、精算表示装置１５でデモ表示を開始する。尚、従来は残度数有りのプリペイドカードが排出されても、ＢＲＤＹ信号は「Ｈ」の状態を保持する構成であった（図の破線部）。
【００９４】
以上が実施例の説明となる。本実施例において、ＣＲカードユニット７はプリペイドカード（残高有）が挿入されていない場合と貸出処理中は、ＢＲＤＹ信号を「Ｌ」に制御し、ＢＲＤＹ信号が「Ｌ」に制御されている間は球貸ボタン１６及び精算ボタン１７の操作を受付禁止とする構成となっている。
【００９５】
従って、ＢＲＤＹ信号が「Ｌ」に制御されている間は、払出制御装置５１が備える球貸スイッチ信号記憶装置に「送信信号有り」の記憶が格納されることは無く、「送信信号有り」の記憶が無いにも拘らずＣＲカードユニット７側からＢＲＱ信号の変化を検知した場合は異常状態と判断する。
【００９６】
また、パチンコ機１側は、払出制御装置５１が備える表示制御信号記憶領域を用いてＣＲカードユニット７に挿入されているプリペイドカードの残高を判断可能としたため、プリペイドカードの残高が０になったにも拘らずＣＲカードユニット７が制御するＢＲＤＹ信号が「Ｌ」に変化することを検知できなければ異常状態と判定する構成となる。
【産業上の利用可能性】
【００９７】
カードユニット装置を接続した遊技機において、不正基板等の取り付けによって偽の貸出要求が実行されると、遊技機は異常状態と判断することが可能となる。従って、カードユニット装置が接続され不正基板を取り付ける余地が有る遊技機に適用することができる。
【符号の説明】
【００９８】
１      パチンコ機
７      ＣＲカードユニット
１５    精算表示装置
１６    球貸ボタン
１７    精算ボタン
５１    払出制御装置
６０    ＣＲカードユニット端子板
【図１】
2011177497.tif 000003
【図２】
2011177497.tif 000004
【図３】
2011177497.tif 000005
【図４】
2011177497.tif 000006
【図５】
2011177497.tif 000007
【図６】
2011177497.tif 000008
【図７】
2011177497.tif 000009
【図８】
2011177497.tif 000010
【図９】
2011177497.tif 000011
【図１０】
2011177497.tif 000012
【図１１】
2011177497.tif 000013
【図１２】
2011177497.tif 000014